(57)【要約】【課題】簡易な構成で簡単に装着ができると共に、泥を除ける機能と肘掛けとしての機能とを合理的に発揮できる泥除けを備える車椅子を提供する。【解決手段】肘掛け部材３１を有する車椅子に設けられる泥除け２０が、車椅子１０の水平で前後方向に延びる肘掛け３０を構成する長尺状の肘掛け部材３１と、車椅子１０のフレーム本体１１の一部を構成して肘掛け部材３１を受ける部分である肘掛け受けフレーム部１２との間に挟まれて固定され、水平左右方向の外側へ張り出した張り出し部２１が片持ち状態で車椅子１０の主輪タイヤ１５の上方を覆うように設けられている。【選択図】図１
0003195830.tif 000002
【実用新案登録請求の範囲】
【請求項１】
肘掛けを有する車椅子に設けられる泥除けが、該車椅子の水平で前後方向に延びる肘掛けを構成する長尺状の肘掛け部材と、前記車椅子のフレーム本体の一部を構成して前記肘掛け部材を受ける部分である肘掛け受けフレーム部との間に挟まれて固定され、水平左右方向の外側へ張り出した張り出し部が片持ち状態で前記車椅子の主輪タイヤの上方を覆うように設けられていることを特徴とする泥除けを備える車椅子。
【請求項２】
前記泥除けの前記張り出し部の張り出した先の先端部が下側へ傾斜した面になっていることを特徴とする請求項１記載の泥除けを備える車椅子。
【請求項３】
前記肘掛け部材の下面に固定されて下方へ延設されたボルトが、前記泥除け及び前記肘掛け受けフレーム部に設けられたボルト孔を貫通してナットによって締結されることによって、前記泥除けが固定されていることを特徴とする請求項１又は２に記載の泥除けを備える車椅子。
【請求項４】
前記泥除けが、前記車椅子の背もたれよりも後方へ延設されていることを特徴とする請求項１〜３のいずれかに記載の泥除けを備える車椅子。
【請求項５】
前記泥除けが、弾性のある材料によって構成され、下方へ湾曲するように撓んだ際には前記車椅子の主輪タイヤに接触されて支持されることを特徴とする請求項１〜４のいずれかに記載の泥除けを備える車椅子。
【考案の詳細な説明】
【技術分野】
【０００１】
この考案は、主輪タイヤの上方を覆う泥除けを備える車椅子に関する。
【背景技術】
【０００２】
車椅子の泥除けとしては、一般的には、自転車などの泥除けの形態と同様に、タイヤの形状に沿って円弧状に形成されたものを容易に想定することができる。
例えば、従来の泥除けを備える車椅子としては、前方にフットレストが突設され、後部に操舵アームを備え、側面には駆動用車輪（主輪）と補助車輪とが設けられたサイドフレムに、肘当てとガード板及び泥除けとが一体に形成されたアッパーフレームを組み付けて成る左右一対の基枠同士をＸ状リンクで連結し、前記駆動用車輪の上方は、泥除けによる覆われる（特許文献１参照）ものが開示されている。
【０００３】
また、従来の車椅子の他の泥除けとしては、ガード板は一部突出部を有する長方形状で、突出した円弧状の泥除けと、ガード板の周辺に沿った突条部を備えた形状になっていて、それらを合成樹脂により一体形成し、そしてガード板の座席面側である内側に、泥除けに沿って凹状のくぼみ部を設けて泥除け内部を空洞とし、くぼみ部の断面形状は、泥除けの断面と相似形で、先端を細部とした略三角形状に形成してあり、又、泥除けの上面は、外側先端に向けて下り傾斜をなすよう形成し、端部は滑らかな曲面で形成した（特許文献２参照）ものが開示されている。
【先行技術文献】
【特許文献】
【０００４】
【特許文献１】特開平９−２８５５００号公報（第１頁）
【特許文献２】特開２００２−８５４６４号公報（第１頁）
【考案の概要】
【考案が解決しようとする課題】
【０００５】
泥除けを備える車椅子に関して解決しようとする問題点は、従来の車椅子の泥除けでは、形状が複雑になり易く、既存の車椅子には装着しにくいと共に、使用者を支持する肘掛けとしての機能を合理的に兼用させることができないことにある。
そこで本考案の目的は、簡易な構成で、簡単に装着ができると共に、泥を除ける機能と肘掛けとしての機能とを合理的に発揮できる泥除けを備える車椅子を提供することにある。
【課題を解決するための手段】
【０００６】
本考案は、上記目的を達成するために次の構成を備える。
本考案にかかる泥除けを備える車椅子の一形態によれば、肘掛けを有する車椅子に設けられる泥除けが、該車椅子の水平で前後方向に延びる肘掛けを構成する長尺状の肘掛け部材と、前記車椅子のフレーム本体の一部を構成して前記肘掛け部材を受ける部分である肘掛け受けフレーム部との間に挟まれて固定され、水平左右方向の外側へ張り出した張り出し部が片持ち状態で前記車椅子の主輪タイヤの上方を覆うように設けられている。
【０００７】
本考案にかかる泥除けを備える車椅子の一形態によれば、前記泥除けの前記張り出し部の張り出した先の先端部が下側へ傾斜した面になっていることを特徴とすることができる。
【０００８】
本考案にかかる泥除けを備える車椅子の一形態によれば、前記肘掛け部材の下面に固定されて下方へ延設されたボルトが、前記泥除け及び前記肘掛け受けフレーム部に設けられたボルト孔を貫通してナットによって締結されることによって、前記泥除けが固定されていることを特徴とすることができる。
【０００９】
本考案にかかる泥除けを備える車椅子の一形態によれば、前記泥除けが、前記車椅子の背もたれよりも後方へ延設されていることを特徴とすることができる。
【００１０】
本考案にかかる泥除けを備える車椅子の一形態によれば、前記泥除けが、弾性のある材料によって構成され、下方へ湾曲するように撓んだ際には前記車椅子の主輪タイヤに接触されて支持されることを特徴とすることができる。
【考案の効果】
【００１１】
本考案に係る泥除けを備える車椅子によれば、簡易な構成で、簡単に装着ができると共に、泥を除ける機能と肘掛けとしての機能とを合理的に発揮できるという特別有利な効果を奏する。
【図面の簡単な説明】
【００１２】
【図１】本考案に係る泥除けを備える車椅子の形態例を示す斜視図である。
【図２】図１の形態例の泥除けの単体を示す斜視図である。
【図３】図１の形態例の泥除けの装着固定方法を示す組立図（側面図）である。
【考案を実施するための形態】
【００１３】
以下、本考案に係る泥除けを備える車椅子の形態例を、添付図面（図１〜３）に基づいて詳細に説明する。
【００１４】
本考案に係る泥除け２０を備える車椅子１０では、図１に示すように、肘掛け部材３１を有する車椅子１０に設けられる泥除け２０が、車椅子１０の水平で前後方向に延びる肘掛け３０を構成する長尺状の肘掛け部材３１と、車椅子１０のフレーム本体１１の一部を構成して肘掛け部材３１を受ける部分である肘掛け受けフレーム部１２との間に挟まれて固定され、水平左右方向の外側へ張り出した張り出し部２１が片持ち状態で車椅子１０の主輪タイヤ１５の上方を覆うように設けられている。なお、この泥除け２０は、左右の肘掛け３０の両方に設置することが原則であるが、片側だけでもよい。
【００１５】
これによれば、泥除け２０を、車椅子本体のパイプ（フレーム本体１１の肘掛け受けフレーム部１２）と、肘掛け部材３１との間に挟んだ状態で固定するもので、泥除けの機能が十分に得られると共に、簡易な構成で、且つ簡単に装着し易い利点がある。そして、泥を除ける機能だけでなく、肘掛けとしての機能を合理的に発揮できる。すなわち、この泥除け２０によれば、肘掛け３０全体が、通常の肘掛け部材３１による部分に加えて、左右方向の外側に向かって好適に拡張された形態になるため、体が不自由な使用者などがもたれかかって、腕を主体とする上半身がはみ出すような状態になっても、その使用者を好適に支えることができる。また、そのように使用者がもたれかかることで、その使用者の衣服の袖などが、主軸タイヤ１５に接して汚れることを、適切に防止することができる。
【００１６】
また、従来の泥除けは、車輪（主輪タイヤ１５）に沿った湾曲した形態になっているが、本考案の泥除け２０では、肘掛け部材３１から全体的には水平に外側へ張り出した形態になっている。このため、本考案の泥除け２０の前部は、主輪タイヤ１５との間隔が前方に向かって徐々に大きくなり、使用者の衣服の袖などが、主輪タイヤ１５に触れないように適切にガードできると共に、主輪タイヤ１５との間に巻き込まれにくい形状になっている。また、もしも袖などが巻き込まれたとしても、外れやすい形状になっている。これによって、使用者を守ることでき、安全性を向上できる。
【００１７】
さらに、車椅子１０の場合、走行速度が遅いため、大きく泥がはねることは考えにくく、自転車のような泥除け形状（主輪タイヤ１５の形状に沿った湾曲形状）である必要はない。むしろ、本考案の泥除けのような形状（水平に平板状に張り出した形態）の方が、シンプルで、腕や身体を適切且つ合理的に支持できる。すなわち、本考案の泥除けによれば、使用者がよりかかる部位を好適に拡張でき、その使用者を安全且つ適切に支持できる。
【００１８】
また、本形態例の泥除け２０は、図１に示すように、全体としては略平坦な平板形状に設けられているが、泥除け２０の張り出し部２１の張り出した先の先端部２１ａが下側へ傾斜した面になっている。これによれば、泥除け２０の剛性を高めて強度を向上でき、他の物と接触した際に力を逃がすことができるなどの機能性を向上できると共に、デザイン性を向上できる。
【００１９】
また、本形態例では図３に示すように、肘掛け部材３１の下面に固定されて下方へ延設されたボルト３１ａが、泥除け２０及び肘掛け受けフレーム部１２に設けられたボルト孔２０ａ、１２ａを貫通してナット４０によって締結されることによって、泥除け２０が固定されている。これによれば、簡単な構成で、確実且つ簡単に、泥除け２０を車椅子１０の本体に装着できる。
【００２０】
また、本形態例では図１に示すように、泥除け２０が、車椅子１０の背もたれ１３よりも後方へ延設されている。これによれば、泥除け２０の効果を好適に拡大でき、使用者がよりかかることのできる部分が増大するため、使用者を好適に支持でき、安全性を向上できる。
【００２１】
泥除け２０が、弾性のある材料によって構成され、下方へ湾曲するように撓んだ際には車椅子１０の主輪タイヤ１５に接触されて支持される。これによれば、使用者がよりかかった際に、その体重（荷重）を適切に受けて支持することができる。また、使用者が傾くように大きくもたれかかって車椅子ごと転倒することなどを未然に防止できるなど、安全性を向上できる。
なお、これに限らず、泥除け２０を、剛性が高い形態にして、その泥除け２０自体で使用者を支持するようにしてもよいのは勿論である。
【００２２】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２３】
１０  車椅子
１１  フレーム本体
１２  肘掛け受けフレーム部
１２ａ  ボルト孔
１３  背もたれ
１５  主輪タイヤ
２０  泥除け
２０ａ  ボルト孔
２１  張り出し部
２１ａ  先端部
３０  肘掛け
３１  肘掛け部材
３１ａ  ボルト
【図１】
0003195830.tif 000003
【図２】
0003195830.tif 000004
【図３】
0003195830.tif 000005